(57)【要約】【課題】  採光性を備えつつ、簡素な構造で容易に組み立てることができる庇装置を提供すること。【解決手段】  躯体への取付用のフランジを有するベース部材１１と、このベース部材１１の両端１１ｃ、１１ｄにそれぞれ基端１２ａを連ねて延出する一対のサイドアーム１２とを備え、これらサイドアーム１２のそれぞれに形成されている溝１６に、採光可能な屋根部材１５をサイドアーム１２の先端１２ｂ側からスライドさせて挿入し、サイドアーム１２の先端１２ｂに、これらサイドアーム１２同士を接続し、屋根部材を支持するフロントアーム１４を設けて構成したことを特徴とする。【選択図】      図２
2006183345.tif 000002
【特許請求の範囲】
【請求項１】
躯体への取付用のフランジを有するベース部材と、このベース部材の両端にそれぞれ基端を連ねて延出する一対のサイドアームとを備え、これらサイドアームのそれぞれに形成されている溝に、採光可能な屋根部材を前記サイドアームの先端側からスライドさせて挿入し、前記サイドアームの先端に、これらサイドアーム同士を接続し、前記屋根部材を支持するフロントアームを設けて構成したことを特徴とする庇装置。
【請求項２】
前記屋根部材は、複数の羽根部材と、これら羽根部材の両端に配置され、当該羽根部材を連結する一対の連結部材とを備え、この連結部材は、前記羽根部材を所定の傾斜角に固定することを特徴とする請求項１に記載の庇装置。
【請求項３】
前記屋根部材は、複数の貫通孔を有する板材と、この板材の両端に配置され、当該板材を支持する一対の支持部材とを備え、この支持部材が前記サイドアームの溝に嵌合することを特徴とする請求項１に記載の庇装置。
【発明の詳細な説明】
【技術分野】
【０００１】
本発明は、建物の庇装置、特に採光性を備える庇装置に関する。
【背景技術】
【０００２】
一般に、庇装置は、窓に差し込む日光を遮る機能を持つものであるが、近年、本来の建物の庇装置とは異なり、採光性が有するものが提案されている（例えば、特許文献１参照）。この種の庇装置では、庇本体の一部、あるいは全部に太陽光線を透過する採光部が設けられ、この採光部の上または下に近接してルーバが付設されている。
【０００３】
【特許文献１】特開平８−１４４４５６号公報
【発明の開示】
【発明が解決しようとする課題】
【０００４】
しかし、従来のものでは、採光部の上または下に近接してルーバを個別に取り付ける構成としているため、庇装置の構造が複雑になり、したがって、組み立て作業が煩雑になるという問題があった。
【０００５】
そこで、本発明は、上記事情を考慮してなされたものであり、採光性を備えつつ、簡素な構造で容易に組み立てることができる庇装置を提供することを目的とする。
【課題を解決するための手段】
【０００６】
本発明は、躯体への取付用のフランジを有するベース部材と、このベース部材の両端にそれぞれ基端を連ねて延出する一対のサイドアームとを備え、これらサイドアームのそれぞれに形成されている溝に、採光可能な屋根部材をサイドアームの先端側からスライドさせて挿入し、サイドアームの先端に、これらサイドアーム同士を接続し、屋根部材を支持するフロントアームを設けて構成したことを特徴とする。
【０００７】
この発明によれば、一対のサイドアームの溝に、採光可能な屋根部材をスライドさせて挿入し、これらサイドアームの先端側同士をフロントアームで連結するだけで、当該庇装置を簡単に組み立てることができる。
また、フロントアームを取り外せば、一対のサイドアームから、採光可能な屋根部材を簡単に取り外すことができ、したがって、採光可能な屋根部材を複数種類準備しておけば、例えば、季節に応じて、任意に組み合わせた庇装置が可能になり、デザイン性に優れた庇装置が創出される。
【０００８】
この場合において、屋根部材は、複数の羽根部材と、これら羽根部材の両端に配置され、当該羽根部材を連結する一対の連結部材とを備え、この連結部材は、羽根部材を所定の傾斜角に固定する構成としても良い。
また、屋根部材は、複数の貫通孔を有する板材と、この板材の両端に配置され、当該板材を支持する一対の支持部材とを備え、この支持部材がサイドアームの溝に嵌合する構成としても良い。
【発明の効果】
【０００９】
本発明では、ベース部材と、このベース部材の両端にそれぞれ基端を連ねて延出する一対のサイドアームとを備え、これらサイドアームのそれぞれに形成されている溝に、採光可能な屋根部材をサイドアームの先端側からスライドさせて挿入し、サイドアームの先端に、これらサイドアーム同士を接続し、屋根部材を支持するフロントアームを設けて構成したから、採光性を有する庇装置の構造が簡素化され、従来のものに比べて、容易に組み立てることができる。
【発明を実施するための最良の形態】
【００１０】
以下に、本発明を実施するための最良の形態について、添付図面を参照して説明する。図１は本発明の実施の形態である庇装置を示す縦断面図である。この図１において、符号１は、躯体に形成された窓開口部である。この窓開口部１には上枠２ａ、下枠２ｂ及びこれら上枠２ａと下枠２ｂとを接続する縦枠（不図示）を備える枠体２が配置され、この枠体２には、引き違い式の内サッシ３、外サッシ４及び網戸５がそれぞれ開閉自在に取り付けられている。また、枠体２の上枠２ａの上部には、躯体の外壁６から室外側に張り出して庇（庇装置）７が取り付けられている。この庇７は、採光性と遮光性とを兼ね備えるものであり、例えば日射の強い夏季には遮光し、日射の弱い冬季には採光するように構成されている。
【００１１】
この庇７は、図２に示すように、躯体に取り付けられる霧除け（ベース部材）１１と、この霧除け１１の両端１１ａ、１１ｂにそれぞれ基端１２ａを連ねて延出する一対のサイドアーム１２と、これらサイドアーム１２に平行に配置され、霧除け１１の略中央に、その基端１３ａを連ねて延出するセンタアーム１３と、これらサイドアーム１２及びセンタアーム１３の先端１２ｂ、１３ｂ同士を接続するフロントアーム１４とを備え、これら霧除け１１、サイドアーム１２、センタアーム１３及びフロントアーム１４間に配置される採光可能な屋根部材１５とを備えて構成される。
【００１２】
霧除け１１は、躯体の外壁６に沿って垂れた雨露が窓開口部１に浸入するのを防止するものであり、図１に示すように、躯体に取り付けるためのフランジ部１１ｃと、屋根部材１５の一端が挿入され、この屋根部材１５を支持する支持部１１ｄとを備え、また、フロントアーム１４には、屋根部材１５の他端が挿入され、この屋根部材１５を支持する支持部１４ａが備えられている。
【００１３】
サイドアーム１２及びセンタアーム１３には、図２に示すように、これらサイドアーム１２とセンタアーム１３とが対向する面に、それぞれ溝１６、１７が形成されている。この溝１６、１７は、屋根部材１５をサイドアーム１２及びセンタアーム１３の先端１２ｂ、１３ｂ側からスライドさせて挿入するためのものであり、サイドアーム１２及びセンタアーム１３の長手方向に沿って形成されている。
【００１４】
サイドアーム１２は、図３に示すように、略コ字状をしたサイドアーム本体１２ｃと、このサイドアーム本体１２ｃの上端及び下端の近傍から水平方向に延出する一対のリブ部材１２ｄと、これらリブ部材１２ｄの対向面に形成され、屋根部材１５を案内する案内レール１２ｅとを備える。
本構成では、サイドアーム本体１２ｃ及び一対のリブ部材１２ｄによって形成された空間が溝１６として機能する。
センタアーム１３は、図３に示すように、矩形状のセンタアーム本体１３ｃと、このセンタアーム本体１３ｃの上端及び下端からそれぞれ水平方向に延出する各一対のリブ部材１３ｄと、これらリブ部材１３ｄの対向面に形成され、屋根部材１５を案内する案内レール１３ｅとを備える。
本構成では、センタアーム本体１３ｃ及び一対のリブ部材１３ｄによって形成された空間が溝１７として機能する。
【００１５】
屋根部材１５は、図２に示すように、角パイプからなる複数本のルーバ（羽根部材）２１と、このルーバ２１の両端に配置され、当該ルーバ２１を一体的に連結する一対の連結部材２２とを備える。この連結部材２２は、４本のルーバ２１を一体的に連結可能に構成されており、本構成では、庇７は、３本のルーバ２１が一対の連結部材２２で連結される屋根部材１５ａと、４本のルーバ２１が一対の連結部材２２で連結される屋根部材１５ｂとを備える。ルーバ２１は、図１に示すように、霧除け１１側が下がるように傾斜して配置されている。この傾斜角は、冬季における低い太陽高度（例えば、３１度〜３８度）では、日射を通し、夏季における高い太陽高度（例えば、５５度〜７８度）では、日射を遮るような角度に設定されている。連結部材２２は、ルーバ２１を上記の傾斜角に固定し、当該ルーバ２１を連結するように形成されている。
【００１６】
連結部材２２は、図４に示すように、板状の基部２２ａと、この基部２２ａに連なりルーバ２１を接続した際に、このルーバ２１の端面が当接する当て部２２ｂと、この当て部２２ｂに連なり、ルーバ２１の開口内に挿入される凸部２２ｃとを備える。この凸部２２ｃは、ルーバ２１を上記の傾斜角に固定するように形成され、この凸部２２ｃの周囲には、当該凸部２２ｃをルーバ２１の開口内に挿入した際に、このルーバ２１の内壁に当接して、ルーバ２１と連結部材２２とを係止する係止片２２ｄが形成されている。また、本構成では、１つの連結部材２２に形成された４つの凸部２２ｃのうち、中央の２つの凸部２２ｃには、サイドアーム１２と連結部材とを固定する際にねじ止めされるねじ孔２２ｅが形成されている。
【００１７】
ルーバ２１の開口内に連結部材２２の凸部２２ｃを挿入すると、ルーバ２１の高さ方向の端面２１ａは連結部材２２の当て部２２ｂに当接する。この場合、連結部材２２の当て部２２ｂは、ルーバ２１の幅方向の端面２１ｂが当接する位置には設けられていないため、図３に示すように、ルーバ２１の幅方向の端面２１ｂと連結部材２２の基部２２ａとの間に係合溝２３が形成される。この係合溝２３は、屋根部材１５をサイドアーム１２及びセンタアーム１３の溝１６、１７にスライドさせる場合に、上記案内レール１２ｅ、１３ｅと係合するように構成されている。
【００１８】
次に、図２を参照して、庇７の組み立て手順を説明する。
まず、霧除け１１の両端１１ｃ、１１ｄに、それぞれ固定用アングル３１をねじ止めして取り付け、この固定用アングル３１にサイドアーム１２をねじ止めして取り付ける。次に、霧除け１１の略中央に固定用アングル３２をねじ止めして取り付け、この固定用アングル３２にセンタアーム１３をねじ止めして取り付ける。
【００１９】
続いて、屋根部材１５を組み立てる。具体的には、連結部材２２の凸部２２ｃをルーバ２１の両端の開口に挿入する。この場合、連結部材２２の当て部２２ｂがルーバ２１の高さ方向の端面２１ａに当接するまで挿入する。この作業を繰り返し、３本のルーバ２１を連結部材２２で連結した屋根部材１５ａと、４本のルーバ２１を連結部材２２で連結した屋根部材１５ｂとを組み立てる。
【００２０】
センタアーム１３側の溝１７に位置固定用のブッシュ２５を配置し、この状態で、まず３本のルーバ２１を有する屋根部材１５ａを、サイドアーム１２及びセンタアーム１３に形成された溝１６、１７に当該サイドアーム１２及びセンタアーム１３の先端１２ａ、１３ａ側から挿入する。この場合、屋根部材１５ａは、この屋根部材の一端が霧除け１１の支持部１１ｄによって支持される位置まで挿入される。次に、４本のルーバ２１を有する屋根部材１５ｂを、上記屋根部材１５ａと同様に溝１６、１７に挿入し、センタアーム１３側の溝１７に位置固定用のブッシュ２５を配置する。このように、屋根部材１５の前後にブッシュ２５を配置することにより、当該屋根部材１５が溝１７内でガタつきが生じることを防止できる。次に、サイドアーム１２側から、このサイドアーム１２と、各連結部材２２のねじ孔２２ｅとを、ねじ３４でねじ止めすることによって、屋根部材１５をサイドアームに固定する。
【００２１】
続いて、各サイドアーム１２の先端１２ｂに固定部材３３及びコーナキャップ３５をねじ止めして取り付ける。そして、サイドアーム１２間にフロントアーム１４を掛け渡し、このフロントアーム１４と上記固定部材３３とをねじ止めして取り付ける。また、センタアーム１３とフロントアーム１４とをねじ止めして固定する。最後に、サイドアームの基端１２ａにサイドキャップ３６をはめ込み、サイドアーム１２及びフロントアーム１４にアームカバー３７、３８が取り付けるとともに、霧除け１１のフランジ部１１ｃにフランジカバー３９を取り付けて組み立て作業を終了する。
【００２２】
本実施形態では、躯体へ取り付けられる霧除け１１の両端１１ｃ、１１ｄに、それぞれ基端１２ａを連ねて延出する一対のサイドアーム１２と、このサイドアーム１２に平行に配置され、霧除け１１の略中央に、その基端１３ａを連ねて延出するセンタアーム１３とを設け、これらサイドアーム１２及びセンタアーム１３のそれぞれに形成される溝１６、１７に、採光可能な屋根部材１５をスライドさせて挿入可能に構成したことにより、従来に比べて、採光性を有する庇７の構造を簡素化し、容易に組み立てることができる。
特に、本構成では、フロントアーム１４を取り外し、サイドアーム１２と屋根部材１５とを固定しているねじ３４を外すと、屋根部材１５をスライドさせて取り外すことができるため、庇７を躯体に取り付けた場合でも、霧除け１１、サイドアーム１２及びセンタアーム１３を残したままの状態で屋根部材１５の取り外し、もしくは、取り付け作業ができるため、作業性の向上を図ることができる。また、例えば、屋根部材を採光性のあるものから遮光性のあるものに変更する場合であっても、屋根部材１５以外の部材は、そのまま転用が可能であるため、屋根部材１５の交換作業が容易になるとともに、施工費用の低減を図ることができる。
【００２３】
また、本実施形態によれば、屋根部材１５は、複数のルーバ２１と、これらルーバ２１を連結する一対の連結部材２２とを備え、この連結部材２２は、ルーバ２１を所定の傾斜角に固定するため、従来のように、ルーバの傾斜角を１つ１つ合わせて固定する必要がなくなり作業性の向上を図ることができる。
また、本実施形態によれば、ルーバ２１の傾斜角は、冬季の低い太陽高度では日射を通し、夏季の高い太陽高度では日射を遮るような角度に設定されているため、冬季には、窓開口１を通じて日射が居室内に入ることにより、居室内を暖めることができる。
【００２４】
以上、本発明を上記実施の形態に基づいて説明したが、本発明はこれに限定されるものではなく、本発明の要旨を逸脱しない範囲での種々の設計変更等が可能である。例えば、図５に示すように、庇７の屋根部材１５上に採光性を有する透明な板材５０（例えば、ポリカーボネート板やガラス板）を配置する構成としても良い。この構成では、上記板材５０をサイドアーム１２及びセンタアーム１３にねじ止めしている。この構成によれば、上述のように、採光性を有する庇７の構造を簡素化し、容易に組み立てることができることに加えて、雨除けが可能となる。
【００２５】
また、本実施形態では、屋根部材１５は、複数のルーバ２１と連結部材２２との連結により構成されていたが、これに限るものではなく、例えば、複数の貫通孔４２を有する板材（パンチングパネル）４１と、この板材４１の両端に配置され、当該板材４１を支持する一対の支持部材４０とを有する屋根部材５１を配置する構成としても良い。この構成において、支持部材４０には、上記連結部材２２と同様に、サイドアーム１２及びセンタアーム１３の案内レール１２ｅ、１３ｅに係合する係合溝２３が形成されている。また、支持部材４０は、板材４０を挟持する挟持溝４０ａを備え、この挟持溝４０ａの入口には、突起４０ｂが形成されている。この構成によれば、採光性を有する庇の構造を簡素化し、容易に組み立てることができるとともに、十分な雨よけが可能となる。さらに、板材４１に形成された貫通孔４２を通じて光が採り入れられるため、従来のものに比べて、柔らかな光を採り入れた空間を演出することができる。
また、この貫通孔４２の大きさや数を変更することにより、ユーザの嗜好に合わせた採光を演出することができる。
【図面の簡単な説明】
【００２６】
【図１】本発明の実施の形態である庇装置の縦断面図である。
【図２】庇の分解斜視図である。
【図３】庇の横断面図である。
【図４】屋根部材の構成を説明するための図である。
【図５】本実施形態の変形例である庇の横断面図である。
【図６】別の変形例である庇の横断面図である。
【符号の説明】
【００２７】
１  窓開口部
７  庇（庇装置）
１１  霧除け（ベース部材）
１２  サイドアーム
１３  センタアーム
１４  フロントアーム
１５  屋根部材
１６  溝
１７  溝
２１  ルーバ（羽根部材）
２２  連結部材
２３  係合溝
４０  支持部材
４１  板材
４２  貫通孔
５１  屋根部材
【図１】
2006183345.tif 000003
【図２】
2006183345.tif 000004
【図３】
2006183345.tif 000005
【図４】
2006183345.tif 000006
【図５】
2006183345.tif 000007
【図６】
2006183345.tif 000008